(57)【特許請求の範囲】
【請求項１】
利用者が選択した再生モードを指定する再生情報と音響信号が示す情報の属性を指定する属性情報との少なくとも一方を含む制御情報を取得する情報取得部と、
前記音響信号のうち高域側の特定帯域の基礎成分について高域側への周波数シフトと強度調整とを含む高域拡張処理を実行することで第１拡張成分を生成する高域拡張部と、
前記音響信号のうち低域側の特定帯域の基礎成分について低域側への周波数シフトと強度調整とを含む低域拡張処理を実行することで第２拡張成分を生成する低域拡張部と、
前記高域拡張部が生成した前記第１拡張成分と前記低域拡張部が生成した前記第２拡張成分とを前記音響信号に付加する合成部と、
前記特定帯域と前記周波数シフトによるシフト量と前記強度調整に適用される調整値との少なくともひとつを、前記制御情報に応じて、前記高域拡張処理と前記低域拡張処理とで個別に設定する制御部と
を具備する音響処理装置。
【請求項２】
前記合成部による処理後の音響信号のうち高音域および低音域の強度を共通の強調度で強調する強調処理部
を具備する請求項１の音響処理装置。
【請求項３】
前記音響信号は、音声圧縮により帯域制限された信号である
請求項１または請求項２の音響処理装置。
【請求項４】
前記情報取得部は、前記音響信号を含む放送信号から、当該放送信号が示す情報の種別を指定する属性情報を取得する
請求項１から請求項３の何れかの音響処理装置。
【請求項５】
利用者が選択した再生モードを指定する再生情報と音響信号が示す情報の属性を指定する属性情報との少なくとも一方を含む制御情報を取得し、
前記音響信号のうち高域側の特定帯域の基礎成分について高域側への周波数シフトと強度調整とを含む高域拡張処理を実行することで第１拡張成分を生成し、
前記音響信号のうち低域側の特定帯域の基礎成分について低域側への周波数シフトと強度調整とを含む低域拡張処理を実行することで第２拡張成分を生成し、
前記高域拡張処理で生成した前記第１拡張成分と前記低域拡張処理で生成した前記第２拡張成分とを前記音響信号に付加する一方、
前記特定帯域と前記周波数シフトによるシフト量と前記強度調整に適用される調整値との少なくともひとつを、前記制御情報に応じて、前記高域拡張処理と前記低域拡張処理とで個別に設定する
音響処理方法。

【発明の詳細な説明】
【技術分野】
【０００１】
本発明は、音響信号を処理する技術に関する。
【背景技術】
【０００２】
MP3（MPEG-1 Audio Layer III）やAAC（Advanced Audio Coding）等の音声圧縮では、音響信号のうち高音域および低音域の帯域成分が除去（帯域制限）されるため、再生音の音質が低下するという問題がある。帯域制限に起因した音質の低下を抑制する技術として、例えば特許文献１には、音響信号のうち特定の帯域成分を利用して高音域および低音域を補強する処理（以下「帯域拡張処理」という）が開示されている。
【先行技術文献】
【特許文献】
【０００３】
【特許文献１】特開２００７−１７８６７５号公報
【発明の概要】
【発明が解決しようとする課題】
【０００４】
ところで、音響信号のうち高音域や低音域の補強に適用される帯域成分の周波数の条件（上限周波数，下限周波数，帯域幅）や補強度合等の各種のパラメータの最適値は、例えば音響信号が表現する情報（コンテンツ）の種別に応じて相違し得る。しかし、特許文献１の技術では、帯域拡張処理の各パラメータが所定値に固定されるから、音響信号の特性（例えば音響信号が示す情報のジャンルによる相違）によっては、再生音の音質が充分に改善されない場合もある。他方、音響信号の周波数特性を解析した結果に応じて帯域拡張処理の各パラメータを制御する構成も想定され得るが、周波数解析の処理負荷が増大するという問題がある。以上の事情を考慮して、本発明は、処理負荷を抑制しながら適切な帯域拡張処理を実行することを目的とする。
【課題を解決するための手段】
【０００５】
以上の課題を解決するために、本発明の音響処理装置は、利用者が選択した再生モードを指定する再生情報と音響信号が示す情報（コンテンツ）の属性を指定する属性情報との少なくとも一方を含む制御情報を取得する情報取得部と、音響信号から生成した拡張成分を音響信号に付加する帯域拡張処理を実行する帯域拡張部と、帯域拡張処理に適用されるパラメータを制御情報に応じて制御する制御部とを具備する。以上の構成では、利用者が選択した再生モードを指定する再生情報と音響信号が示す情報（コンテンツ）の属性を指定する属性情報との少なくとも一方を含む制御情報に応じて帯域拡張処理の各パラメータが可変に制御される。したがって、処理対象となる音響信号の特性にとって適切な帯域拡張処理を実行することが可能である。また、帯域拡張処理の各パラメータは利用者からの指示や音響信号が示す情報の属性に応じて設定されるから、音響信号の周波数解析等は不要であるという利点もある。なお、音響信号の典型例は、音声圧縮により帯域制限された信号である。
【０００６】
制御部が制御するパラメータの種類は任意であるが、例えば帯域拡張部が音響信号のうち特定帯域の基礎成分を周波数軸上でシフトすることで拡張成分を生成する構成では、制御部は、特定帯域（例えば下限周波数，上限周波数，帯域幅）と基礎成分のシフト量との少なくとも一方を制御情報に応じて制御することが可能である。以上の構成によれば、帯域拡張処理により強調すべき基礎成分の周波数軸上の位置（周波数および帯域幅）と基礎成分が付加される周波数とを制御情報に応じて適切に制御することが可能である。
【０００７】
本発明の好適な態様において、帯域拡張処理は、拡張成分の強度を調整する処理を含み、制御部は、拡張成分の強度の調整値を制御情報に応じて制御する。以上の構成によれば、拡張成分の付加の度合を制御情報に応じて適切に制御することが可能である。
【０００８】
本発明の好適な態様において、情報取得部は、音響信号を含む放送信号から、当該放送信号が示す情報の種別を指定する属性情報を取得する。以上の構成では、放送信号にて音響信号に付随する属性情報を情報取得部が取得するから、例えば利用者による再生モードの選択を原理的には不要とすることが可能である。
【０００９】
以上の各態様に係る音響処理装置は、音響信号の処理に専用されるＤＳＰ（Digital Signal Processor）などのハードウェア（電子回路）で実現されるほか、ＣＰＵ（Central Processing Unit）などの汎用の演算処理装置とプログラムとの協働でも実現される。本発明のプログラムは、利用者が選択した再生モードを指定する再生情報と音響信号が示す情報の属性を指定する属性情報との少なくとも一方を含む制御情報を取得する情報取得部と、音響信号から生成した拡張成分を音響信号に付加する帯域拡張処理を実行する帯域拡張部と、帯域拡張処理に適用されるパラメータを制御情報に応じて制御する制御部としてコンピュータを機能させる。以上のプログラムによれば、本発明に係る音響処理装置と同様の作用および効果が実現される。本発明のプログラムは、コンピュータが読取可能な記録媒体に格納された形態で提供されてコンピュータにインストールされるほか、通信網を介した配信の形態で提供されてコンピュータにインストールされる。
【００１０】
また、本発明は、音響信号を処理する方法としても特定され得る。本発明の音響処理方法では、利用者が選択した再生モードを指定する再生情報と音響信号が示す情報の属性を指定する属性情報との少なくとも一方を含む制御情報を取得し、音響信号から生成した拡張成分を前記音響信号に付加する帯域拡張処理を実行する一方、前記帯域拡張処理に適用されるパラメータを前記制御情報に応じて制御する。以上の方法によれば、本発明に係る音響処理装置と同様の作用および効果が実現される。
【図面の簡単な説明】
【００１１】
【図１】第１実施形態に係る音響処理装置のブロック図である。
【図２】帯域拡張処理の説明図である。
【図３】帯域拡張部のブロック図である。
【図４】変数テーブルの模式図である。
【図５】第２実施形態に係る音響処理装置のブロック図である。
【図６】第３実施形態における変数テーブルの模式図である。
【図７】第４実施形態における変数テーブルの模式図である。
【発明を実施するための形態】
【００１２】
＜第１実施形態＞
図１は、本発明の第１実施形態に係る音響処理装置１００のブロック図である。音響処理装置１００には音響信号ＳAが供給される。音響信号ＳAは、MP3やAAC等の方式で音声圧縮された信号を展開した信号であり、音声圧縮時の帯域制限により高音域および低音域が圧縮前の信号と比較して低減されている。音響処理装置１００は、音響信号ＳAの高音域および低音域を補強した音響信号ＳBを音響信号ＳAから生成する信号処理装置であり、例えばＡＶ（Audio-Visual）レシーバやＡＶアンプ等の音響機器に好適に利用される。
【００１３】
図１に示すように、音響処理装置１００は、帯域拡張部１２と操作部１４と情報取得部１６Aと制御部１８とを具備する。音響処理装置１００の各要素（帯域拡張部１２，情報取得部１６A，制御部１８）は、例えばプログラムを実行する汎用の演算処理装置や音響信号ＳAの処理に専用される電子回路（DSP）で実現される。
【００１４】
帯域拡張部１２は、音響信号ＳAに対する帯域拡張処理を例えば所定の周期で順次に実行する。図２は、帯域拡張処理の説明図である。高音域および低音域が低減された音響信号ＳAの周波数特性Ｒが図２には図示されている。
【００１５】
帯域拡張処理は、音響信号ＳAの高音域を補強する高域拡張処理と音響信号ＳAの低音域を補強する低域拡張処理とを包含する。高域拡張処理は、音響信号ＳAのうち高域側の特定帯域Ｂ[H]の基礎成分ＣA[H]から拡張成分ＣB[H]を生成して音響信号ＳAに付加する処理である。基礎成分ＣA[H]は、音響信号ＳAのうち高域側の周波数Ｆ[H]を上回る音響成分であり、拡張成分ＣB[H]は、基礎成分ＣA[H]を周波数軸上で高域側に変化量Ｄ[H]だけシフトするとともに強度を調整値（ゲイン）Ｇ[H]に応じて調整した音響成分である。他方、低域拡張処理は、音響信号ＳAのうち低域側の特定帯域Ｂ[L]の基礎成分ＣA[L]から拡張成分ＣB[L]を生成して音響信号ＳAに付加する処理である。基礎成分ＣA[L]は、音響信号ＳAのうち低域側の周波数Ｆ[L]（Ｆ[L]＜Ｆ[H]）を下回る音響成分であり、拡張成分ＣB[L]は、基礎成分ＣA[L]を周波数軸上で低域側に変化量Ｄ[L]だけシフトするとともに強度を調整値Ｇ[L]に応じて調整した音響成分である。
【００１６】
図３は、帯域拡張部１２のブロック図である。図３に示すように、帯域拡張部１２は、高域拡張部２２と低域拡張部２４と合成部２６と強調処理部２８とを具備する。音響信号ＳAは、高域拡張部２２と低域拡張部２４と合成部２６とに供給される。
【００１７】
高域拡張部２２は、音響信号ＳAに対する高域拡張処理の実行で高域側の拡張成分ＣB[H]を生成する要素であり、帯域選択部３２と周波数シフト部３４と強度調整部３６とを含んで構成される。帯域選択部３２は、図２に図示された特定帯域Ｂ[H]の基礎成分ＣA[H]を音響信号ＳAから抽出する。音響信号ＳAのうち周波数（遮断周波数）Ｆ[H]を上回る特定帯域Ｂ[H]の基礎成分ＣA[H]を選択的に通過させるハイパスフィルタが帯域選択部３２として採用される。
【００１８】
周波数シフト部３４は、帯域選択部３２が生成した基礎成分ＣA[H]を周波数軸上で変化量Ｄ[H]だけ高域側にシフトする。基礎成分ＣA[H]のシフトには公知の技術が任意に採用され得る。強度調整部３６は、周波数シフト部３４による処理後の成分の強度を調整値Ｇ[H]に応じて調整することで拡張成分ＣB[H]を生成する。具体的には、周波数シフト部３４の処理後の成分に調整値Ｇ[H]（０≦Ｇ[H]）を乗算する乗算器が強度調整部３６として好適に採用される。帯域選択部３２の遮断周波数Ｆ[H]と周波数シフト部３４に適用される変化量Ｄ[H]と強度調整部３６に適用される調整値Ｇ[H]とは各々が個別に調整され得る。
【００１９】
図３の低域拡張部２４は、音響信号ＳAに対する低域拡張処理の実行で低域側の拡張成分ＣB[L]を生成する要素であり、帯域選択部４２と周波数シフト部４４と強度調整部４６とを含んで構成される。帯域選択部４２は、図２に図示された特定帯域Ｂ[L]の基礎成分ＣA[L]を音響信号ＳAから抽出する。音響信号ＳAのうち周波数Ｆ[L]を下回る特定帯域Ｂ[L]の基礎成分ＣA[L]を選択的に通過させるローパスフィルタが帯域選択部４２として採用される。
【００２０】
周波数シフト部４４は、帯域選択部４２が生成した基礎成分ＣA[L]を周波数軸上で変化量Ｄ[L]だけ低域側にシフトする。基礎成分ＣA[L]のシフトには公知の技術が任意に採用され得る。強度調整部４６は、周波数シフト部４４による処理後の成分の強度を調整値Ｇ[L]に応じて調整する（例えば調整値Ｇ[L]を乗算する）ことで拡張成分ＣB[L]を生成する（０≦Ｇ[L]）。帯域選択部４２の遮断周波数Ｆ[L]と周波数シフト部４４に適用される変化量Ｄ[L]と強度調整部４６に適用される調整値Ｇ[L]とは各々が個別に調整され得る。
【００２１】
図３の合成部２６は、高域拡張部２２が生成した高域側の拡張成分ＣB[H]と低域拡張部２４が生成した低域側の拡張成分ＣB[L]とを音響信号ＳAに付加することで音響信号ＳB'を生成する。具体的には、拡張成分ＣB[H]と拡張成分ＣB[L]とを音響信号ＳAに加算する加算器が合成部２６として採用され得る。なお、音響信号ＳAの強度を適宜に調整したうえで合成部２６に供給する構成や、音響信号ＳAと拡張成分ＣB[H]と拡張成分ＣB[L]との各々に適切な遅延を付加してから合成部２６に供給する構成も採用され得る。
【００２２】
強調処理部２８は、合成部２６が生成した音響信号ＳB'のうち高音域や低音域の強度を調整することで音響信号ＳBを生成する。第１実施形態の強調処理部２８は、音響信号ＳB'の高音域を強調するハイシェルビングフィルタと音響信号ＳB'の低音域を強調するローシェルビングフィルタとで構成される。強調処理部２８による高音域および低音域の強調の度合（以下「強調度」という）Ｖは可変に制御される。以上が帯域拡張部１２の構成の具体例である。
【００２３】
図１の操作部１４は、利用者からの指示を受付ける要素であり、例えば利用者が操作可能な複数の操作子を含んで構成される。利用者は、操作部１４を適宜に操作することで、音響信号ＳBの再生モードを選択することが可能である。情報取得部１６Aは、操作部１４に対する操作で利用者が選択した再生モードを指定する再生情報ＰAを取得する。
【００２４】
第１実施形態では、映画モードと音楽モードとゲームモードとから利用者の所望の再生モードが選択される。映画モードは映画の音響（台詞や効果音）の再生に好適な再生モードであり、音楽モードは音楽の再生に好適な再生モードであり、ゲームモードはゲームの音響（例えば効果音）の再生に好適な再生モードである。したがって、映画モードが選択された状態では映画の音響の音響信号ＳAが供給され、音楽モードが選択された状態では音楽の音響信号ＳAが供給され、ゲームモードが選択された状態ではゲームの音響の音響信号ＳAが供給される可能性が高い。
【００２５】
図１の制御部１８は、帯域拡張部１２による帯域拡張処理に適用されるパラメータを、情報取得部１６Aが取得した再生情報ＰAに応じて可変に制御する。第１実施形態の制御部１８は、高域拡張処理に適用される遮断周波数（特定帯域Ｂ[H]の下限周波数）Ｆ[H]，変化量Ｄ[H]および調整値Ｇ[H]と、低域拡張処理に適用される遮断周波数（特定帯域Ｂ[L]の上限周波数）Ｆ[L]，変化量Ｄ[L]および調整値Ｇ[L]と、強調処理部２８に適用される強調度Ｖとを再生情報ＰAに応じて制御可能である。なお、以下の説明では、遮断周波数Ｆ[L]および変化量Ｄ[L]を所定値に固定した場合を便宜的に想定するが、遮断周波数Ｆ[L]および変化量Ｄ[L]を再生情報ＰAに応じて制御することも可能である。
【００２６】
制御部１８による各パラメータの設定には図４の変数テーブルＴBL1が利用される。図４に示すように、変数テーブルＴBL1は、複数種の再生モード（映画モード，音楽モード，ゲームモード）の各々について帯域拡張処理の各パラメータ（Ｆ[H]，Ｄ[H]，Ｇ[H]，Ｇ[L]，Ｖ）の数値が登録されたデータテーブルである。制御部１８は、再生情報ＰAが指定する再生モードについて変数テーブルＴBL1に登録された各パラメータの数値を帯域拡張部１２に指示する。
【００２７】
調整値Ｇ[H]および調整値Ｇ[L]は、拡張成分（ＣB[H]，ＣB[L]）を適度に強調する数値ｇ1と、数値ｇ1を下回る数値（拡張成分の強調の度合を弱める数値）ｇ0と、数値ｇ1を上回る数値（拡張成分の強調の度合を強める数値）ｇ2との何れかに設定される（０≦ｇ0＜ｇ1＜ｇ2≦１）。また、強調度Ｖは、音響信号ＳB'の高音域および低音域を適度に強調する数値ｖ1と、高音域および低音域の強調の度合を弱める数値ｖ0と、高音域および低音域の強調の度合を強める数値ｖ2との何れかに設定される。
【００２８】
映画の音響では台詞が重要であるから、再生情報ＰAが映画モードを指定する場合、音声（人間の発声音）の帯域が強調されるように各パラメータの数値が設定される。具体的には、図４に示すように、制御部１８は、音声の主要な成分が基礎成分ＣA[H]に包含されるように遮断周波数Ｆ[H]を４ｋＨｚに設定し、変化量Ｄ[H]を４ｋＨｚに設定する。また、制御部１８は、調整値Ｇ[H]を数値ｇ0に設定し、調整値Ｇ[L]を数値ｇ1に設定し、強調度Ｖを数値ｖ0に設定する。
【００２９】
複数の楽器の演奏音で構成される音楽では、台詞が重視される映画の音響等と比較して高音域および低音域が重要であるから、再生情報ＰAが音楽モードを指定する場合、映画モードと比較して高音域および低音域が強調されるように各パラメータの数値が設定される。具体的には、図４に示すように、制御部１８は、高域側の調整値Ｇ[H]および低域側の調整値Ｇ[L]の双方を数値ｇ1に設定し、強調度Ｖを数値ｖ1に設定する。遮断周波数Ｆ[H]は１０ｋＨｚに設定され、変化量Ｄ[H]は６ｋＨｚに設定される。
【００３０】
映画や音楽と比較してゲームでは高音域や低音域の音響の迫力（音量感）が重要であるから、再生情報ＰAがゲームモードを指定する場合、映画モードや音楽モードの場合と同等以上に高音域や低音域が強調されるように各パラメータの数値が設定される。また、ゲームでは迫力のある重低音（例えば爆発音等の派手な効果音）が好まれる傾向があるから、高音域と比較して特に低音域が強調されるように各パラメータの数値が設定される。具体的には、図４に示すように、制御部１８は、高域側の調整値Ｇ[H]を数値ｇ1に設定するとともに低域側の調整値Ｇ[L]を数値ｇ2に設定し、強調度Ｖを数値ｖ2に設定する。遮断周波数Ｆ[H]は８ｋＨｚに設定され、変化量Ｄ[H]は８ｋＨｚに設定される。
【００３１】
以上に説明したように、第１実施形態では、利用者が選択した再生モードを指定する再生情報ＰAに応じて帯域拡張処理の各パラメータの数値が可変に制御される。したがって、音響信号ＳAが示す情報（コンテンツ）にとって適切な帯域拡張処理を実行することが可能である。また、帯域拡張処理の各パラメータは利用者からの指示に応じて設定されるから、音響信号ＳAの周波数解析等は不要である。したがって、第１実施形態によれば、処理負荷を抑制しながら適切な帯域拡張処理を実行できるという利点がある。
【００３２】
＜第２実施形態＞
本発明の第２実施形態を以下に説明する。以下に例示する各形態において作用や機能が第１実施形態と同等である要素については、第１実施形態の説明で参照した符号を流用して各々の詳細な説明を適宜に省略する。
【００３３】
図５は、第２実施形態に係る音響処理装置１００のブロック図である。第２実施形態の音響処理装置１００は、第１実施形態の操作部１４および情報取得部１６Aを情報取得部１６Bに置換した構成である。情報取得部１６Bは、音響信号ＳAが示す情報（コンテンツ）の属性を指定する属性情報ＰBを取得する。
【００３４】
地上デジタル放送波等のテレビ放送波を受信および復調した放送信号には、画像信号とともに音響信号ＳAと属性情報ＰBとが内包される。第２実施形態の属性情報ＰBは、音響信号ＳAが示す情報の種別（例えば放送信号が示す放送作品のジャンル）を指定する。放送信号から音響信号ＳAと属性情報ＰBとが抽出され、音響信号ＳAが帯域拡張部１２に供給されるとともに属性情報ＰBが情報取得部１６Bに指示される。
【００３５】
帯域拡張部１２の動作（帯域拡張処理）や構成は第１実施形態と同様である。制御部１８は、情報取得部１６Bが取得した属性情報ＰBに応じて帯域拡張処理の各パラメータ（Ｆ[H]，Ｄ[H]，Ｇ[H]，Ｆ[L]，Ｄ[L]，Ｇ[L]，Ｖ）を可変に制御する。例えば、属性情報ＰBが映画を指定する場合には、第１実施形態の映画モードと同様に帯域拡張処理の各パラメータが設定され、属性情報ＰBが音楽を指定する場合には、第１実施形態の音楽モードと同様に帯域拡張処理の各パラメータが設定される。
【００３６】
第２実施形態においては、音響信号ＳAが示す情報の属性を指定する属性情報ＰBに応じて帯域拡張処理の各パラメータの数値が可変に制御されるから、第１実施形態と同様に、処理負荷を抑制しながら適切な帯域拡張処理を実行することが可能である。また、第２実施形態では、音響信号ＳAに付随する属性情報ＰBを情報取得部１６Bが取得するから、利用者による再生モードの選択は不要である。したがって、利用者の負荷が軽減されるという利点もある。なお、第１実施形態と第２実施形態とを併合し、再生モードを指定する再生情報ＰA（第１実施形態）と音響信号ＳAが示す情報の属性を指定する属性情報ＰB（第２実施形態）との双方に応じて帯域拡張処理の各パラメータの数値を制御することも可能である。
【００３７】
＜第３実施形態＞
第３実施形態の音響処理装置１００は、第２実施形態（図５）と同様の構成である。第２実施形態の情報取得部１６Bが放送信号から属性情報ＰBを取得するのに対し、第３実施形態の情報取得部１６Bは、音響信号ＳAの展開前の音楽ファイル（例えばMP3やAAC等の形式のファイル）に付随する属性情報ＰBを取得する。属性情報ＰBは、音響信号ＳAで表現される音楽の種別（ジャンル）を指定する。例えば、ポップス，クラシックおよびジャズの何れかが属性情報ＰBにて指定される。
【００３８】
制御部１８は、情報取得部１６Bが取得した属性情報ＰBに応じて帯域拡張処理の各パラメータ（Ｆ[H]，Ｄ[H]，Ｇ[H]，Ｆ[L]，Ｄ[L]，Ｇ[L]，Ｖ）を可変に制御する。各パラメータの制御には図６の変数テーブルＴBL2が利用される。
【００３９】
ポップスに分類される音楽では、再生音に迫力を持たせるために音響信号ＳAの低音域が既に強調されている場合が多い。したがって、属性情報ＰBがポップスを指定する場合には、低音域の強調が高音域の強調と比較して抑制されるように各パラメータの数値が設定される。具体的には、図６に示すように、制御部１８は、高域側の調整値Ｇ[H]を数値ｇ1に設定するとともに低域側の調整値Ｇ[L]を数値ｇ0に設定し、強調度Ｖを数値ｖ1に設定する。遮断周波数Ｆ[H]は１０ｋＨｚに設定され、変化量Ｄ[H]は６ｋＨｚに設定される。
【００４０】
クラシックに代表される音楽では、低音域から高音域までの全体にわたり適度な音量が維持された再生音が好まれる。したがって、属性情報ＰBがクラシックを指定する場合には、高音域と低音域とが同等に強調されるように各パラメータの数値が設定される。具体的には、図６に示すように、制御部１８は、高域側の調整値Ｇ[H]および低域側の調整値Ｇ[L]の双方を数値ｇ1に設定し、強調度Ｖを数値ｖ1に設定する。ポップスの場合と同様に、遮断周波数Ｆ[H]は１０ｋＨｚに設定され、変化量Ｄ[H]は６ｋＨｚに設定される。
【００４１】
ジャズに分類される音楽は小編成で演奏される場合が多く、各楽器の音域に対応する特定の帯域内で適度な音量が維持された再生音が好まれる。すなわち、高音域や低音域を過度に強調する必要はない。したがって、属性情報ＰBがジャズを指定する場合には、クラシックの場合と比較して高音域や低音域の強調が抑制されるように各パラメータの数値が設定される。具体的には、図６に示すように、制御部１８は、高域側の調整値Ｇ[H]および低域側の調整値Ｇ[L]の双方を数値ｇ0に設定し、強調度Ｖを数値ｖ1に設定する。遮断周波数Ｆ[H]は８ｋＨｚに設定され、変化量Ｄ[H]は８ｋＨｚに設定される。第３実施形態においても第２実施形態と同様の効果が実現される。
【００４２】
＜第４実施形態＞
第４実施形態の音響処理装置１００は、第２実施形態（図５）と同様の構成である。情報取得部１６Bは、第３実施形態と同様に、音響信号ＳAの展開前の音楽ファイルに付随する属性情報ＰBを取得する。第４実施形態の属性情報ＰBは、音響信号ＳAで表現される音楽の収録基準時を音楽の属性として指定する。収録基準時は、音響信号ＳAの収録時点に応じた日時であり、例えば音響信号ＳAの収録日時のほか、音響信号ＳAの音楽の発表日時または発売日時を包含する概念である。
【００４３】
制御部１８は、情報取得部１６Bが取得した属性情報ＰBに応じて帯域拡張処理の各パラメータ（Ｆ[H]，Ｄ[H]，Ｇ[H]，Ｆ[L]，Ｄ[L]，Ｇ[L]，Ｖ）を可変に制御する。各パラメータの制御には図７の変数テーブルＴBL3が利用される。
【００４４】
現在からみて古い時期に収録された音響信号ＳAは、収録機材の性能的な制限に起因して、高音域および低音域の双方の音量が不足する場合が多い。したがって、属性情報ＰBが指定する収録基準時が所定の日時以前である場合には、高音域および低音域の双方が適度に強調されるように各パラメータの数値が設定される。具体的には、図７に示すように、制御部１８は、高域側の調整値Ｇ[H]および低域側の調整値Ｇ[L]の双方を数値ｇ1に設定し、強調度Ｖを数値ｖ1に設定する。遮断周波数Ｆ[H]は８ｋＨｚに設定され、変化量Ｄ[H]は８ｋＨｚに設定される。
【００４５】
最近の時期に収録された音響信号ＳAは、古い時期に収録された音響信号ＳAと比較して、高音域および低音域の音量が適度に維持されている場合が多い。したがって、属性情報ＰBが指定する収録基準時が所定の日時以降である場合には、属性情報ＰBが当該日時以前の収録基準時を指定する場合と比較して高音域および低音域の強調が抑制されるように各パラメータの数値が設定される。具体的には、図７に示すように、制御部１８は、高域側の調整値Ｇ[H]および低域側の調整値Ｇ[L]の双方を数値ｇ0に設定し、強調度Ｖを数値ｖ1に設定する。遮断周波数Ｆ[H]は１０ｋＨｚに設定され、変化量Ｄ[H]は６ｋＨｚに設定される。第４実施形態においても第２実施形態と同様の効果が実現される。
【００４６】
＜変形例＞
以上の形態は多様に変形され得る。具体的な変形の態様を以下に例示する。以下の例示から任意に選択された２以上の態様は適宜に併合され得る。
【００４７】
（１）属性情報ＰBが指定する属性は以上の例示に限定されない。例えば、音響処理装置１００に音響信号ＳAを供給する外部機器の種別を属性情報ＰBが指定する構成も採用される。具体的には、音響信号ＳAの供給元が、ＵＳＢ（Universal Serial Bus）メモリ等の可搬型の記録媒体であるのかインターネットや電話網等の通信網であるのか放送波の受信回路であるのかに応じて、音響信号ＳAの特性（高音域や低音域の減衰の度合）が相違する。したがって、前述の各形態と同様に、帯域拡張処理に適用される各パラメータの数値は、属性情報ＰBが指定する外部機器から供給される音響信号ＳAにとって適切な数値に設定される。
【００４８】
（２）前述の各形態では、基礎成分ＣA[H]および基礎成分ＣA[L]を周波数軸上でシフトする帯域拡張処理を例示したが、帯域拡張処理の内容は以上の例示に限定されない。例えば、高域側の基礎成分ＣA[H]について整流やクリッピング等の非線形処理を実行することで高調波（拡張成分ＣB[H]）を発生させる構成が採用され得る。制御部１８は、例えばクリップ量等のパラメータを可変に制御する。また、低域側の基礎成分ＣA[L]について分周等の処理を実行することで低域側の拡張成分ＣB[L]（例えば基礎成分ＣA[L]の１/２の周波数の成分）を生成する構成も採用され得る。制御部１８は、例えば基礎成分ＣA[L]の分周比等のパラメータを可変に制御する。以上の説明から理解されるように、帯域拡張処理は、音響信号ＳA（前述の各形態の例示では特定帯域（Ｂ[H]，Ｂ[L]）の基礎成分（ＣA[H]，ＣA[L]））から生成した拡張成分（ＣB[H]，ＣB[L]）を音響信号ＳAに付加する処理として包括され、音響信号ＳAから拡張成分（ＣB[H]，ＣB[L]）を生成する具体的な方法や制御部１８が制御するパラメータの種類は任意である。
【００４９】
（３）帯域拡張処理の実行の有無を切替える構成も採用され得る。例えば、音声圧縮により帯域制限された音響信号ＳAが供給された場合には前述の各形態と同様に帯域拡張処理を実行し、帯域制限されていない音響信号ＳA（例えばＣＤ等の記録媒体に記録された非圧縮の音響信号ＳA）が供給された場合には帯域拡張処理を実行しない構成が好適である。
【００５０】
（４）第１実施形態では再生情報ＰAに応じて帯域拡張処理のパラメータを設定し、第２実施形態から第４実施形態では属性情報ＰBに応じて帯域拡張処理のパラメータが設定したが、再生情報ＰAおよび属性情報ＰBの双方を帯域拡張処理のパラメータの設定に適用する構成も採用され得る。すなわち、第１実施形態の情報取得部１６Aおよび第２実施形態から第４実施形態の情報取得部１６Bは、利用者が選択した再生モードを指定する再生情報ＰAと音響信号ＳAが示す情報の属性を指定する属性情報ＰBとの少なくとも一方を含む制御情報を取得する要素として包括される。
【符号の説明】
【００５１】
１００……音響処理装置、１２……帯域拡張部、１４……操作部、１６A，１６B……情報取得部、１８……制御部、２２……高域拡張部、２４……低域拡張部、２６……合成部、２８……強調処理部、３２，４２……帯域選択部、３４，４４……周波数シフト部、３６，４６……強度調整部、ＴBL1，ＴBL2，ＴBL3……変数テーブル。
【図１】
0005565405.tif 000002
【図２】
0005565405.tif 000003
【図３】
0005565405.tif 000004
【図４】
0005565405.tif 000005
【図５】
0005565405.tif 000006
【図６】
0005565405.tif 000007
【図７】
0005565405.tif 000008